(57)【要約】【課題】  制御用パラメータにアクセスするためのテーブルのメモリ使用量を低減することができるメモリ管理装置を提供する。【解決手段】  アクセス情報検索テーブル３０には、不揮発性メモリに記憶された制御情報に付与された第１の識別番号、制御情報の種別、制御情報へのアクセス情報が関連付けて記憶されている。第１の識別番号が指定されると、アクセス情報検索テーブル３０から種別を取得し、種別が不揮発性メモリである場合には、第２の識別番号をアクセス情報検索テーブル３０から取得する。第２の識別番号に基づいて対応する制御用パラメータが格納されたアドレスを得るためのオフセットアドレスの情報が記憶されたアドレステーブルから第２の識別番号に対応したオフセットアドレスを取得し、実アドレスを算出して、実アドレスに記憶された制御情報へアクセスする。【選択図】        図２
2005215764.tif 000002
【特許請求の範囲】
【請求項１】
不揮発性メモリに記憶され、かつ第１の識別番号及び第１の識別番号と異なる第２の識別番号が付与された制御用パラメータを含む制御情報を管理するメモリ管理装置であって、
前記第１の識別番号と、前記制御情報の種別と、前記第２の識別番号を含む前記制御情報へアクセスするためのアクセス情報と、が関連付けられたアクセス情報検索テーブルを記憶したアクセス情報検索テーブル記憶手段と、
前記第２の識別番号に対応する前記制御用パラメータの格納先アドレスに関するアドレステーブルが記憶されたアドレステーブル記憶手段と、
指定された第１の識別番号に対応するアクセス情報を検索するアクセス情報検索手段と、
前記第１の識別番号に対応する制御情報の種別を前記アクセス情報検索テーブルから取得し、取得した前記種別が前記制御用パラメータである場合に、前記制御用パラメータに対応するアドレスを前記アドレステーブルから検索するアドレス検索手段と、
検索したアドレスにアクセスするアクセス手段と、
を備えたことを特徴とするメモリ管理装置。
【請求項２】
前記制御用パラメータの使用バイト数が、前記第２の識別番号の予め定めた所定範囲毎に定義され、前記アクセス手段は、検索したアドレスから前記第２の識別番号に応じた使用バイト数分のデータにアクセスすることを特徴とする請求項１記載のメモリ管理装置。
【請求項３】
前記第１の識別番号は、前記制御情報の内容に基づいて種類分けして付与され、前記第２の識別番号は、連番で付与されていることを特徴とする請求項１又は請求項２記載のメモリ管理装置。
【発明の詳細な説明】
【技術分野】
【０００１】
本発明は、メモリ管理装置に係り、より詳しくは、不揮発性メモリに記憶された画像形成装置等で使用する制御用パラメータを管理するメモリ管理装置に関する。
【背景技術】
【０００２】
従来、複写機やプリンタ等の画像形成装置において、画像形成処理に用いる各種の制御用パラメータを不揮発性メモリに記憶しておくことにより、画像形成装置の電源を一旦オフしてオンした場合でも、最後に設定した制御用パラメータによる制御を可能としたものが知られている（例えば特許文献１参照）。
【０００３】
このような従来技術における制御用パラメータの管理方法の一例として、例えば、図７に示すような管理データ検索テーブル２００、管理データ情報テーブル２０２、図８に示すような不揮発性メモリアクセス情報テーブル２０８の３つのテーブルを用いる方法がある。
【０００４】
この方法によれば、不揮発性メモリに記憶された制御用パラメータを外部接続機器(操作パネル等のユーザーインターフェース装置やパーソナルコンピュータ等)からアクセスできるようにするために、それぞれの制御用パラメータに一対一に対応した第１の識別番号が割り振られる。
【０００５】
なお、第１の識別番号が割り振られるのは、不揮発性メモリに記憶された制御用パラメータだけでなく、他の用途、例えばＩ／Ｏチェック用の関数のアドレス等、他の制御情報に対しても割り振られる。ここでは、制御情報として、不揮発性メモリに記憶される制御用パラメータ、Ｉ／Ｏチェック用の関数のアドレスを含む場合について説明する。
【０００６】
また、第１の識別番号は、これらの制御情報の利用するユーザー側にとってわかりやすい方が好ましいため、制御情報の用途、性質によりカテゴリー分けされ、図７に示すように必ずしも単純な連番にはならないのが通常である。
【０００７】
管理データ検索テーブル２００は、第１の識別番号と、その第１の識別番号に対応した管理データが記憶された管理データが記憶されたアドレスを示す管理データアドレスとが一対一に関連付けて記憶されたテーブルである。
【０００８】
管理データ情報テーブル２０２は、第１の識別番号が割り振られた制御情報の種別と、その制御情報にアクセスするためのアクセス情報とが一対一に関連付けて記憶されてテーブルである。アクセス情報は、種別が不揮発性メモリの場合は第２の識別番号であり、種別がＩ／Ｏチェックであれば、チェック用関数のアドレスとなる。制御用パラメータは、ユーザーの操作によりアクセスされるだけでなく、制御プログラムも読み書きを行う場合があるが、前述したように第１の識別番号はバラバラな値であるため制御プログラムで管理する上で扱いにくい。このため、第１の識別番号とは別に、制御用パラメータに対して各々第２の識別番号が割り振られる。第２の識別番号は、制御用パラメータのカテゴリー等に一切関係なく、単純な連番となっている。
【０００９】
不揮発性メモリアクセス情報テーブル２０８は、第２の識別番号に対応する制御用パラメータの使用バイト数と、その制御用パラメータが格納されたオフセットアドレスとが一対一に関連付けて記憶されたテーブルである。ここで、第２の識別番号が連番になっているため、図８に示すように、第２の識別番号に対応するオフセットアドレスが格納された位置のアドレスの値は、不揮発性メモリアクセス情報テーブルが記憶された領域の先頭アドレスを示す固定アドレスに第２の識別番号の値を加えた値となる。これによりオフセットアドレスの検索が単純化され高速になる。また、他の制御用プログラムも制御用パラメータにアクセスしやすくなる。
【００１０】
このように、アクセスしたい制御用パラメータの第１の識別番号を指定すれば、管理データ検索テーブル２００により管理データアドレスを取得し、管理データ情報テーブル２０２により第２の識別番号を取得し、不揮発性メモリアクセス情報テーブル２０８によりオフセットアドレスを取得することができ、このオフセットアドレスに記憶された制御用パラメータにアクセスして読み込み及び書き込みをすることができる。これにより、画像形成装置の電源を一旦オフにしてオンしても、最後に設定した制御用パラメータを用いた制御が可能となる。
【特許文献１】特開平８−２９４０１２号公報
【発明の開示】
【発明が解決しようとする課題】
【００１１】
しかしながら、近年ではより高精度な制御を実現するため、不揮発性メモリに保存しなければならない制御用パラメータの数は増加傾向にある。従って、上記従来技術のようなメモリ管理では、制御用パラメータの数の増加に比例して上記各テーブルに記憶される管理用の情報も増加してしまい、メモリ容量を増加させなければならずコストが高くなる、という問題があった。
【００１２】
本発明は、上記問題を解決すべく成されたものであり、制御用パラメータにアクセスするためのテーブルのメモリ使用量を低減することができるメモリ管理装置を提供することを目的とする。
【課題を解決するための手段】
【００１３】
上記目的を達成するために、請求項１記載の発明は、不揮発性メモリに記憶され、かつ第１の識別番号及び第１の識別番号と異なる第２の識別番号が付与された制御用パラメータを含む制御情報を管理するメモリ管理装置であって、前記第１の識別番号と、前記制御情報の種別と、前記第２の識別番号を含む前記制御情報へアクセスするためのアクセス情報と、が関連付けられたアクセス情報検索テーブルを記憶したアクセス情報検索テーブル記憶手段と、前記第２の識別番号に対応する前記制御用パラメータの格納先アドレスに関するアドレステーブルが記憶されたアドレステーブル記憶手段と、指定された第１の識別番号に対応するアクセス情報を検索するアクセス情報検索手段と、前記第１の識別番号に対応する制御情報の種別を前記アクセス情報検索テーブルから取得し、取得した前記種別が前記制御用パラメータである場合に、前記制御用パラメータに対応するアドレスを前記アドレステーブルから検索するアドレス検索手段と、検索したアドレスにアクセスするアクセス手段と、を備えたことを特徴とする。
【００１４】
この発明によれば、メモリ管理装置は、不揮発性メモリに記憶され、かつ第１の識別番号及び第１の識別番号と異なる第２の識別番号が付与された制御用パラメータを含む制御情報を管理するものである。このようなメモリ管理装置は、装置の電源をオフしても保存しておきたい制御用パラメータを用いた制御を行う装置に適用され、例えばプリンタや複写機等の画像形成装置に適用される。この場合、制御用パラメータは、例えば画像形成処理に用いられる各種画像処理パラメータ等を含む。制御情報には制御用パラメータの他、例えば所定の制御用関数のアドレス等の情報も含まれる。
【００１５】
アクセス情報検索テーブル記憶手段は、第１の識別番号と、制御情報の種別と、第２の識別番号を含む制御情報へアクセスするためのアクセス情報とが関連付けられたアクセス情報検索テーブルを記憶している。これにより、第１の識別番号を指定すれば、これに対応した制御情報の種別及びアクセス情報を得ることができる。
【００１６】
アドレステーブル記憶手段は、第２の識別番号に対応する制御用パラメータの格納先のアドレステーブルが記憶されている。すなわち、アクセス情報検索テーブルから第１の識別番号に対応する第２の識別番号を取得し、アドレステーブルから第２の識別番号に対応する格納先アドレスを取得することにより制御用パラメータへアクセスすることができる。
【００１７】
このため、アクセス情報検索手段は、指定された第１の識別番号に対応するアクセス情報を検索し、アドレス検索手段は、第１の識別番号に対応する種別をアクセス情報検索テーブルから取得し、取得した種別が制御用パラメータである場合に、制御用パラメータに対応するアドレスをアドレステーブルから検索する。
【００１８】
アクセス手段は、検索したアドレスにアクセスする。例えば検索したアドレスに格納された制御用パラメータを読み出したり、制御用パラメータの値を書き換えたりする。
【００１９】
このように、第１の識別番号及び第１の識別番号と異なる第２の識別番号が付与された制御用パラメータにアクセスする場合において、アクセス情報検索テーブルにより第１の識別番号に対応する第２の識別番号を直接取得することができ、アドレステーブルによって第２の識別番号に対応した格納先アドレスを取得することができる。このため、従来と比較して、制御用パラメータにアクセスするためのテーブルに必要なメモリ容量を削減することができる。
【００２０】
請求項２記載の発明は、前記制御用パラメータの使用バイト数が、前記第２の識別番号の予め定めた所定範囲毎に定義され、前記アクセス手段は、検索したアドレスから前記第２の識別番号に応じた使用バイト数分のデータにアクセスすることを特徴とする。
【００２１】
この発明によれば、制御用パラメータの使用バイト数が、第２の識別番号の予め定めた所定範囲毎に定義されているため、使用バイト数と第２の識別番号とが関連付けられたテーブルを設ける必要がなく、従来と比較してメモリ容量を削減することができる。
【００２２】
請求項３記載の発明は、前記第１の識別番号は、前記制御情報の内容に基づいて種類分けして付与され、前記第２の識別番号は、連番で付与されていることを特徴とする。
【００２３】
この発明によれば、第１の識別番号は、前記制御情報の内容に基づいて種類分けして付与されているため、ユーザー等にとって管理しやすく、第２の識別番号は、連番で付与されているため、制御プログラム等にとって管理しやすくなる。例えば、アドレステーブルを、第２の識別番号の順にアドレスを格納した構成とすることにより、第２の識別番号に対応したアドレスの検索が容易となる。
【発明の効果】
【００２４】
以上説明したように、本発明によれば、制御用パラメータにアクセスするためのテーブルのメモリ使用量を低減することができる、という効果を有する。
【発明を実施するための最良の形態】
【００２５】
以下、本発明の実施形態について説明する。なお、本実施形態では、一例として複写機やプリンタ、ファクシミリ等の画像形成装置に本発明を適用した場合について説明する。
【００２６】
図１には、本発明が適用された画像形成装置１０の概略構成を示した。図１に示すように、画像形成装置１０は、マイクロコンピュータ１２、画像形成部１４、操作部１６、不及び不揮発性メモリ１８を含んで構成されている。
【００２７】
マイクロコンピュータ１２は、各部の制御を司るＣＰＵ１２Ａ、後述する制御プログラムや各種データ等が記憶されたＲＯＭ１２Ｂ、制御プログラムの実行に伴うワークエリアとして作用するＲＡＭ１２Ｃ、及びマイクロコンピュータ１２と接続される各部とのデータの入出力を制御する入出力インターフェース（図では、Ｉ／Ｏ）１２Ｄが各々バス１２Ｅに接続された構成である。なお、ＲＯＭ１２Ｂ、ＲＡＭ１２Ｃはマイクロコンピュータ１２に内蔵でもよく、外付けでもよい。
【００２８】
入出力インターフェース１２Ｄには、画像形成部１４、操作部１６、不揮発性メモリ１８が接続されており、パーソナルコンピュータ（ＰＣ）２０等の外部機器も接続可能に構成されている。なお、パーソナルコンピュータ２０等の外部機器と画像形成装置１０との通信は、例えばシリアル通信等により行うが、これに限定されるものではない。ＣＰＵ１２Ａは、ＲＯＭ１２Ａ、ＲＡＭ１２Ｃの他、入出力インターフェース１２Ｄに接続された各部を制御する。
【００２９】
画像形成部１４は、例えば電子写真方式により記録用紙上に画像を形成するものである。概略を説明すると、レーザー光源、コリメートレンズ、ポリゴンミラー、及びｆθレンズ等を含んで構成された光走査装置を備え、その他、感光体ドラム、現像装置、転写装置、及び定着装置等を含んで構成される。
【００３０】
レーザー光源からは、画像データに応じて変調されたレーザービームが射出される。レーザー光源から射出されたレーザービームは、コリメートレンズにより平行光とされた後、ポリゴンミラーによって感光体ドラムの方向へ偏光されると共にｆθレンズによって主走査方向に等速度とされ、感光体ドラム上を走査する。これにより、感光体ドラム上に画像に応じた静電潜像が形成される。感光体ドラム上に形成された静電潜像は、現像装置によりトナー現像され、トナー像が形成される。感光体ドラム上に形成されたトナー像は、転写装置により記録用紙に転写される。記録用紙上に転写されたトナー像は、定着装置により定着される。
【００３１】
操作部１６は、例えば操作メニューや処理結果等を表示する表示機能や、表示された操作メニューに指等により触れることにより動作の指示を与える操作機能が一体化されたタッチパネル、各種設定を行うための操作ボタン等を含んで構成される。操作部１６は、オペレータによる操作結果をＣＰＵ１２Ａに通知したり、ＣＰＵ１２Ａからの指示により画像形成部１４による処理結果等の各種情報を表示したりする。
【００３２】
不揮発性メモリ１８には、画像形成部１４による画像形成処理に関する画像処理パラメータ（例えば定着装置の温度等）等の各種制御用パラメータが記憶される。
【００３３】
不揮発性メモリ１８に記憶された制御用パラメータは、オペレータによる操作部１６の操作によって指定されたり、画像形成装置１０に接続されたパーソナルコンピュータ２０から指定されたりすることにより、ＣＰＵ１２Ａによってアクセスされる。
【００３４】
制御用パラメータには、第１の識別番号が予め付与されており、操作部１６やパーソナルコンピュータ２０から制御用パラメータが指定された際には、第１の識別番号がＣＰＵ１２Ａに通知される。そして、ＣＰＵ１２Ａは、後述するアクセス情報検索テーブル等を用いて、通知された第１の識別番号に対応する制御用パラメータが格納されたアドレスを取得し、不揮発性メモリ１８にアクセスする。
【００３５】
図２には、アクセス情報検索テーブル３０の構成を示した。アクセス情報検索テーブル３０は、第１の識別番号、制御情報の種別、及びアクセス情報が一対一に関連付けられたテーブルであり、例えば不揮発性メモリ１８に予め記憶されるが、ＲＯＭ１２Ｂ等の他のメモリに予め記憶されてもよい。
【００３６】
第１の識別番号が付与されるのは、不揮発性メモリ１８に記憶された制御用パラメータのような制御情報だけでなく、他の用途で用いられる制御情報に対しても付与される。このため、第１の識別番号は、制御情報の用途や性質等によりカテゴリー分けされて付与されるため、図２に示すような単純な連番とはなっていない。本実施形態では、制御用パラメータ以外の制御情報として、Ｉ／Ｏチェック（例えばモータの動作チェック）用の関数のアドレスを含む場合について説明する。従って、図２に示すように、本実施形態における制御情報の種別は、「不揮発性メモリ」、「Ｉ／Ｏチェック」の２種類である。
【００３７】
アクセス情報は、種別が「不揮発性メモリ」の場合は第２の識別番号であり、種別が「Ｉ／Ｏチェック」であれば、チェック用関数のアドレスとなる。
【００３８】
制御用パラメータは、オペレータによる操作部１６の操作による指示や画像形成装置１０に接続されたパーソナルコンピュータ２０からの指示によりアクセスされるだけでなく、制御プログラムの処理に伴ってアクセスされる場合があるが、前述したように第１の識別番号は単純な連番とはなっていないため、制御プログラムで管理する上でも扱いにくい。このため、第１の識別番号とは別に、制御用パラメータに対して各々第２の識別番号が付与されている。
【００３９】
第２の識別番号は、図２に示すように、制御用パラメータのカテゴリー等に一切関係なく、単純な連番となっている。従って、制御プログラムで制御用パラメータにアクセスする場合には、第２の識別番号を利用してアクセスすることにより、制御しやすくすることできる。
【００４０】
図３には、第２の識別番号に基づいて、対応する制御用パラメータが格納されたアドレスを得るためのオフセットアドレスの情報が記憶されたアドレステーブル４０の構成を示した。アドレステーブル４０は、例えば不揮発性メモリ１８に予め記憶されるが、ＲＯＭ１２Ｂ等の他のメモリに予め記憶されてもよい。
【００４１】
図３に示すように、アドレステーブル４０は、第２の識別番号の順に、対応する制御用パラメータが格納されているアドレスを求めるためのオフセットアドレスが記憶されている。制御用パラメータが格納されている実際のアドレスは、予め定めた固定アドレスに、指定された第２の識別番号に対応するオフセットアドレスを加えたアドレスとなる。固定アドレスは、例えばアドレステーブル４０の先頭アドレスとすることができる。
【００４２】
ここで、全ての制御用パラメータの使用バイト数が同一である場合は、求めた実アドレスから使用バイト数分のデータを取得すればよいが、制御用パラメータの種類によって使用バイト数が異なる場合がある。この場合、例えば図４に示すように、使用バイト数が１の制御用パラメータについては１００未満の第２の識別番号を割り当て、使用バイト数が２の制御用パラメータについては１００以上２００未満の第２の識別番号を割り当て、使用バイト数が３の制御用パラメータについては２００以上３００未満の第２の識別番号を割り当てるように定義し、制御用プログラムにおいて、第２の識別番号の値に応じて実アドレスから取得するデータのバイト数を変えるようにする。これにより、使用バイト数とオフセットアドレスとを関連付けたテーブルを用意する必要がなく、オフセットアドレスのみを記憶したテーブルだけでよいため、テーブルに使用するメモリ容量を従来と比較して減らすことができる。
【００４３】
なお、図５に示すように、使用バイト数の境界（閾値）にあたる第２の識別番号のみを定義しておき、これに基づいて使用バイト数を定めるようにしてもよい。この場合、図４の場合と同様に、第２の識別番号が０以上１００未満の場合は使用バイト数が１、１００以上２００未満の場合は使用バイト数が２、２００以上３００未満の場合は使用バイト数が３と判断される。
【００４４】
次に、ＣＰＵ１２Ａで実行される制御ルーチンについて図６に示すフローチャートを参照して説明する。
【００４５】
なお、図６に示す制御ルーチンは、オペレータによる操作部１６の操作による指示又はパーソナルコンピュータ２０からの指示により、制御情報へのアクセス指示がＣＰＵ１２Ａに通知された場合に実行される。アクセス指示には、アクセス対象として指定された制御情報に付与された第１の識別番号の他、アクセス内容等が含まれる。アクセス内容は、例えばアクセス対象の制御情報が不揮発性メモリ１８に記憶された制御用パラメータであれば、その制御用パラメータの読み込み指示、書き込み指示等の指示内容が含まれる。
【００４６】
まず、ステップ１００では、アクセス情報検索テーブル３０を参照し、アクセス指示に含まれる第１の識別番号が存在するか検索する。
【００４７】
ステップ１０２では、指定された第１の識別番号がアクセス情報検索テーブル３０に存在するか否かを判断し、存在する場合にはステップ１０４へ移行し、存在しない場合にはステップ１１６へ移行し、エラー処理を行う。エラー処理では、例えば指定されたアクセス対象の制御情報へのアクセスが失敗したことを示すエラー情報等を要求元へ送信する。これにより、要求元では、指定したアクセス対象の制御情報へのアクセスが失敗したことを把握することができる。
【００４８】
ステップ１０４では、指定された第１の識別番号に対応する種別をアクセス情報検索テーブル３０から取得し、その種別が不揮発性メモリであるか否かを判断する。そして、指定された第１の識別番号に対応する種別が不揮発性メモリである場合には、ステップ１０６へ移行し、不揮発性メモリ以外の場合、すなわちＩ／Ｏチェックである場合には、ステップ１１４へ移行する。ステップ１１４では、指定された第１の識別番号に対応するアクセス情報、すなわちチェック用関数のアドレスをアクセス情報検索テーブル３０から取得し、そのアドレスへアクセスしてチェック用関数をコールする。
【００４９】
ステップ１０６では、指定された第１の識別番号に対応する第２の識別番号をアクセス情報検索テーブル３０から取得する。
【００５０】
ステップ１０８では、図４に示す定義に基づいて、取得した第２の識別番号の値に対応する使用バイト数を設定する。
【００５１】
ステップ１１０では、第２の識別番号に対応するオフセットアドレスをアドレステーブル４０から取得する。
【００５２】
ステップ１１２では、予め定めた固定アドレスに、取得したオフセットアドレスを加えることにより実アドレスを算出する。
【００５３】
ステップ１１３では、求めた実アドレスにアクセスする。すなわち、読み込み指示がされていた場合には、求めた実アドレスからステップ１０８で設定した使用バイト数分のデータ、すなわち制御用パラメータを読み出して要求元へ送信し、書き込み指示がされていた場合には、指定されたデータを、求めた実アドレスからステップ１０８で設定した使用バイト数分の領域に書き込む。
【００５４】
このように、本実施形態では、第１の識別番号、制御情報の種別、及び第２の識別番号を関連付けたアクセス情報検索テーブル３０と、第２の識別番号に対応したオフセットアドレスが格納されたアドレステーブル４０との２つのテーブルを用いて、指定された第１の識別番号に対応するオフセットアドレスを求めて制御情報にアクセスする構成とした。このため、従来のように３つのテーブルを使用して制御情報にアクセスする場合と比較して、テーブルに使用するメモリ容量を削減することができ、より多くの制御情報を扱うことが可能となる。
【００５５】
なお、本実施形態では、画像形成装置に本発明を適用した場合について説明したが、これに限らず、不揮発性メモリを備え、これに制御情報等の何らかの情報を記憶する構成の装置であれば本発明を適用可能である。
【図面の簡単な説明】
【００５６】
【図１】画像形成装置の概略構成を示すブロック図である。
【図２】アクセス情報検索テーブルの構成を示す図である。
【図３】アドレステーブルの構成を示す図である。
【図４】使用バイト数の定義に関する図である。
【図５】他の例に係る使用バイト数の定義に関する図である。
【図６】ＣＰＵで実行される制御ルーチンのフローチャートである。
【図７】管理データ検索テーブル及び管理データ情報テーブルの構成を示す図である。
【図８】不揮発性メモリアクセス情報テーブルの構成を示す図である。
【符号の説明】
【００５７】
１０      画像形成装置
１２      マイクロコンピュータ
１２Ａ      ＣＰＵ（アクセス情報検索手段、アドレス検索手段、アクセス手段）
１２Ｂ      ＲＯＭ
１２Ｃ      ＲＡＭ
１２Ｄ      入出力インターフェース
１２Ｅ      バス
１４      画像形成部
１６      操作部
１８      不揮発性メモリ（アクセス情報検索テーブル記憶手段、アドレステーブル記憶手段）
２０      パーソナルコンピュータ
３０      アクセス情報検索テーブル
４０      アドレステーブル
２００      管理データ検索テーブル
２０２      管理データ情報テーブル
２０８      不揮発性メモリアクセス情報テーブル
【図１】
2005215764.tif 000003
【図２】
2005215764.tif 000004
【図３】
2005215764.tif 000005
【図４】
2005215764.tif 000006
【図５】
2005215764.tif 000007
【図６】
2005215764.tif 000008
【図７】
2005215764.tif 000009
【図８】
2005215764.tif 000010